(57)【要約】流体体積アラームシステムが、提示される。アラームシステムは、流体を貯蔵するための容器と、ユーザまたは観察者に、容器内の流体が所定のレベルに到達したことを通知するために、容器に連結されたアラームモジュールと、を有する。容器は、少なくとも１つの外壁を有し、流体の少なくとも一時的貯蔵のための内部体積を画定する。一側面では、容器の外壁の内部に配置され、アラームを受信することが望ましい、所定の流体レベルに対応する、外壁の内部上の位置に位置付けられる、少なくとも２つの電極が存在する。システムはまた、従事者に、流体が、所定のレベルを満たした、またそれを超えたことをアラートするように構成される、アラームモジュールを有する。
2013528468.tif 000002
【特許請求の範囲】
【請求項１】
流体レベルアラームシステムであって、
少なくとも１つの外壁を有し、流体の少なくとも一時的貯蔵のための内部体積、第１の開口部、および流体の流出のための第２の開口部を画定する、容器と、
前記外壁の内部上に配置され、そのうちの少なくとも１つは、所定の流体レベルに対応する前記外壁の内部上の位置に位置付けられる、少なくとも２つの電極と、
電源に連結されたアラームモジュールであって、第１および第２のアラーム端子を備え、それぞれ、前記少なくとも２つの電極のうちの１つと電気連通し、アラーム手段を有する、アラームモジュールと
を備え、前記所定の流体レベルにおいて、前記容器の内部体積内に配置された流体は、前記少なくとも２つの電極と前記アラームモジュールとの間に電気回路を完成する、システム。
【請求項２】
前記少なくとも２つの電極は、前記流体が、前記所定の流体レベルにある時、実質的に、前記流体と同一平面にある、請求項１に記載の流体レベルアラームシステム。
【請求項３】
前記電極は、耐食材料を備える、請求項１に記載の流体レベルアラームシステム。
【請求項４】
前記耐食材料は、ステンレス鋼を備える、請求項３に記載の流体レベルアラームシステム。
【請求項５】
前記第１の開口部は、実質的に、前記容器の上側部分に位置付けられ、前記第２の開口部は、実質的に、前記容器の下側部分に位置付けられる、請求項１に記載の流体レベルアラームシステム。
【請求項６】
前記第１の開口部は、前記容器の内部体積内への流体侵入を促進するように構成される、請求項５に記載の流体レベルアラームシステム。
【請求項７】
前記第１の開口部を介した流体流入を許可し、前記第１の開口部を介した流体流出を防止するための手段をさらに備える、請求項６に記載の流体レベルアラームシステム。
【請求項８】
前記第１の開口部を介した流体流入を許可し、前記第１の開口部を介した流体流出を防止するための手段は、少なくとも部分的に、前記第１の開口部内に配置される、一方向弁を備える、請求項７に記載の流体レベルアラームシステム。
【請求項９】
前記容器からの前記流体の流出を選択的に許可するための手段をさらに備える、請求項１に記載の流体レベルアラームシステム。
【請求項１０】
前記容器からの前記流体の流出を選択的に許可するための手段は、少なくとも部分的に、前記第２の開口部内に配置される、弁を備える、請求項９に記載の流体レベルアラームシステム。
【請求項１１】
前記第１の開口部は、前記容器の内部体積を大気に通気するように構成される、請求項１に記載の流体レベルアラームシステム。
【請求項１２】
前記アラームモジュールに連結された電源は、ＡＣ電力を備える、請求項１に記載の流体レベルアラームシステム。
【請求項１３】
前記アラームモジュールに連結された電源は、少なくとも１つのバッテリを備える、請求項１に記載の流体レベルアラームシステム。
【請求項１４】
前記アラーム手段は、可視アラームを備える、請求項１に記載の流体レベルアラームシステム。
【請求項１５】
前記可視アラームは、発光ダイオードを備える、請求項１４に記載の流体レベルアラームシステム。
【請求項１６】
前記アラーム手段は、可聴アラームを備える、請求項１に記載の流体レベルアラームシステム。
【請求項１７】
前記アラーム手段は、振動アラームを備える、請求項１に記載の流体レベルアラームシステム。
【請求項１８】
前記アラームモジュールは、一次アラームユニットおよび二次アラームユニットを備え、前記一次アラームユニットは、アラームを表す少なくとも１つの信号の伝送のための送信機を備え、および前記二次アラームユニットは、前記アラームを表す少なくとも１つの信号の受信のための受信機を備える、請求項１に記載の流体レベルアラームシステム。
【請求項１９】
前記一次アラームユニットは、アラームを表す少なくとも１つの信号の無線伝送のための送信機を備え、前記二次アラームユニットは、前記アラームを表す少なくとも１つの信号の無線受信のための受信機を備える、請求項１８に記載の流体レベルアラームシステム。
【請求項２０】
前記一次アラームユニットは、選択的に、前記容器から着脱可能である、請求項１８に記載の流体レベルアラームシステム。
【請求項２１】
前記二次アラームユニットは、前記一次アラームユニットから遠隔にあって、少なくとも前記二次アラームユニットは、アラーム手段を備える、請求項１８に記載の流体レベルアラームシステム。
【請求項２２】
前記容器は、複数の容器を備え、それぞれ、一次アラームユニットに接続され、各一次アラームユニットは、前記二次アラームユニットと通信する、請求項１８に記載の流体レベルアラームシステム。
【請求項２３】
前記容器は、使い捨て可撓性バッグである、請求項１に記載の流体レベルアラームシステム。
【請求項２４】
前記容器上に位置付けられた傾斜スイッチをさらに備え、前記傾斜スイッチは、第１および第２の傾斜端子を有し、前記容器が、実質的に、直立位置にない時、感知するように構成される、請求項１に記載の流体レベルアラームシステム。
【請求項２５】
前記アラームモジュールは、前記容器の一部への取り外し可能取付のために構成され、前記アラームシステムはさらに、前記アラームモジュールの一部上に位置付けられた傾斜スイッチを備え、前記傾斜スイッチは、第１および第２の傾斜端子を有し、前記容器が、実質的に、直立位置にない時、感知するように構成される、請求項１に記載の流体レベルアラームシステム。
【請求項２６】
前記傾斜スイッチは、前記容器が、前記直立位置にない時、前記流体、前記２つの電極、および前記アラームモジュール間の前記回路を開放するように構成される、請求項２４または請求項２５に記載の流体レベルアラームシステム。
【請求項２７】
前記少なくとも２つの電極は、第１の電極および第２の電極を備え、前記第１の電極は、前記第１のアラーム端子に電気的に連結され、前記第２の電極は、第１の傾斜端子に電気的に連結され、前記第２の傾斜端子は、前記第２のアラーム端子に電気的に連結される、請求項２６に記載の流体レベルアラームシステム。
【請求項２８】
前記傾斜スイッチは、
内部チャンバを画定する、略円筒形と、
前記内部チャンバ内に位置付けられた電気的に伝導性の略球状傾斜機構であって、前記略円筒形本体は、前記容器が、実質的に、直立位置にある時、前記電気的に伝導性の略球状傾斜機構が、重力によって、前記第１および第２の傾斜端子と接触して保持され、および前記容器が、実質的に、前記直立位置にない時、前記略球状傾斜機構が、前記内部チャンバ内を移動し、前記第１および第２の傾斜端子のうちの少なくとも１つとの接触から外れ、それによって、前記傾斜スイッチを開放するように、前記外壁の外部上に位置付けられる、電気的に伝導性の略球状傾斜機構と
を備える、請求項２７に記載の流体レベルアラームシステム。
【請求項２９】
前記電極のうちの少なくとも１つと前記アラームモジュールとの間に電気的に位置付けられた遅延スイッチをさらに備え、所定の時間の長さの間、実質的に、前記回路の完成を防止する、請求項１に記載の流体レベルアラームシステム。
【請求項３０】
流体レベルアラームシステムであって、
少なくとも１つの外壁を有し、流体の少なくとも一時的貯蔵のための内部体積、第１の開口部、および流体の流出のための第２の開口部を画定する、容器と、
前記外壁の内部上に配置された少なくとも２つの電極であって、前記電極のうちの少なくとも１つは、所定の流体レベルに対応する前記外壁の内部上の位置に位置付けられる、少なくとも２つの電極と、
電源に連結されたアラームモジュールであって、前記アラームモジュールは、第１および第２のアラーム端子を備え、それぞれ、前記少なくとも２つの電極のうちの１つと電気連通し、アラーム手段を有する、アラームモジュールと、
第１および第２の傾斜端子を有する、傾斜スイッチであって、前記傾斜スイッチは、前記容器が、実質的に、直立位置にない時、感知するように構成される、傾斜スイッチと
を備え、前記所定の流体レベルにおいて、前記容器の内部体積内に配置された流体は、前記少なくとも２つの電極と前記アラームモジュールとの間に電気回路を完成する、システム。
【請求項３１】
前記傾斜スイッチは、前記容器が、前記直立位置にない時、前記流体、前記２つの電極、および前記アラームモジュール間の前記回路を開放するように構成される、請求項３０に記載の流体レベルアラームシステム。
【請求項３２】
前記少なくとも２つの電極は、第１の電極および第２の電極を備え、前記第１の電極は、前記第１のアラーム端子に電気的に連結され、前記第２の電極は、第１の傾斜端子に電気的に連結され、前記第２の傾斜端子は、前記第２のアラーム端子に電気的に連結される、請求項３１に記載の流体レベルアラームシステム。
【発明の詳細な説明】
【技術分野】
【０００１】
本明細書に提示されるのは、流体体積アラームシステムである。より具体的には、本明細書に提示されるのは、容器内の流体のレベルが、所定のレベルを超えるまたは下回る時、アラームを提供するための流体体積アラームシステムである。
【背景技術】
【０００２】
多くの場合、留置カテーテルは、いくつかの医学的状態に対して、広範囲に及ぶ使用を有する。これらは、その膀胱を空にすることができない（尿閉）、またはその尿を抑えることができない（尿失禁）人々に対して使用される。これらは、尿道を通して、膀胱内に通過させる、または恥骨上の場所から、膀胱内に外科的に留置され得る。留置カテーテルはまた、典型的には、術後または急性疾患で入院した患者の尿量を監視するため、あるいは意識不明の患者の膀胱から排出させるために使用される。カテーテルは、流体回収バッグに取り付けられる。
【０００３】
しかしながら、カテーテルが挿入されると、膀胱は、数日中に、細菌が定着する。流体回収バッグの入念な排出によって、尿は、膀胱から、カテーテルを通して、排出バッグ内へと自由に流動可能となる。しかしながら、尿が、バッグ内へと自由に排出しない場合、膀胱は、過度に伸展された状態となる。
【０００４】
過度に伸展された膀胱は、膀胱粘膜に破損を生じさせ、定着した細菌によって、膀胱感染症を引き起こす可能性がある。さらなる懸念として、過度に伸展された膀胱は、定着した細菌を血流に流入させ（菌血症）、発熱および重度の感染症を引き起こす可能性がある。尿管感染症と関連付けられたカテーテルは、二次血流感染症の主因であって、院内感染菌血症の約１７％は、尿源からであって、関連付けられた死亡率は、約１０％である。養護施設環境では、カテーテルは、血流に流入する細菌の最も一般的原因である。
【０００５】
従事者は、流体回収バッグが、過充填状態となると、流体回収バッグ内へのいかなるさらなる尿の排出も許容せず、背圧をもたらし、膀胱を過膨張させるため、流体回収バッグの状態を把握することを所望する。
【０００６】
男性は、種々の理由から、尿失禁（尿漏）を有し得る。乾燥を保つために使用される方法の１つは、尿回収バッグに取り付けられる、陰茎を覆って適用された外部コンドーム型カテーテルを装着することである。尿回収バッグが、過充填状態となる場合、外部コンドーム型カテーテルが外れ、尿漏出によって、非常に恥ずかしい思いをすることになり得る。外部コンドーム型カテーテルが、陰茎から外れ得る、２つの主要理由が存在する。第１に、過充填された回収バッグは、管内に尿を逆流させ、コンドームを伸展させ、皮膚を引っ張り得る。第１に、過充填された回収バッグは、重くなり過ぎ、コンドームが皮膚から外れ得る。
【０００７】
従事者が、流体充填バッグ内の流体の状態を把握することを所望し得る、別の理由は、膀胱を洗浄し、薬剤を送達する、または血液が膀胱内に集中している場合、血栓の形成を防止するように、滅菌水または生理食塩水等の流体が、流体充填バッグから、カテーテル管類を通して、膀胱内へ注入され得ることからである。継続的排出を可能にするために、流体充填バッグを空のものとすぐに交換しない場合、薬剤の中断または血栓の形成をもたらす可能性がある。これらの血栓は、次いで、カテーテルを塞ぎ、前述の同一問題を伴う、膀胱の過膨張を生じさせる可能性がある。
【発明の概要】
【課題を解決するための手段】
【０００８】
本明細書に提示されるのは、流体レベルアラームシステムである。一側面では、アラームシステムは、流体を貯蔵するための容器と、ユーザまたは観察者に、容器内の流体が所定のレベルに到達したことを通知するために、容器に連結されたアラームモジュールと、を備える。
【０００９】
一側面では、容器は、少なくとも１つの外壁を有し、流体の少なくとも一時的貯蔵のための内部体積、第１の開口部、および流体の流出のための第２の開口部を画定する。第１の開口部は、尿回収バッグまたは類似システムの場合、流体の侵入のためのものであることができる。第１の開口部はまた、点滴バッグまたは類似システムの場合、内部体積を大気に通気させるためのものであることができる。別の側面では、第１の開口部は、第１の開口部を介して、流体流入を許可し、流体流出を防止するように構成される。さらに別の側面では、第２の開口部は、容器からの流体の流出を選択的に許可するように構成される。
【００１０】
別の側面では、システムは、容器の外壁の内部に配置される、少なくとも２つの電極を備える。電極のうちの少なくとも１つは、アラームを受信することが望ましい、所定の流体レベルに対応する、外壁の内部上の位置に位置付けられる。本構成では、容器内に含有される流体は、少なくとも２つの電極間の回路を完成する。
【００１１】
システムはまた、電源に連結されたアラームモジュールを備える。アラームモジュールは、少なくとも２つの端子を備え、それぞれ、少なくとも２つの電極のうちの１つと電気連通する。使用時、一側面では、容器内の流体が、所定の流体レベルに到達すると、容器の内部体積内に配置された流体は、少なくとも２つの電極とアラームモジュールとの間に電気回路を完成する。これは、アラームを励起し、従事者に、流体が、所定のレベルを満たした、またそれを超えたことをアラートする。
【００１２】
アラームシステムの他の側面および実施形態も、本明細書に説明される。本説明は、システムを完全に説明することを意図し、その設計、機能、または用途を限定するものではない。
【００１３】
本発明の好ましい実施形態のこれらおよび他の特徴は、添付の図面を参照する、発明を実施するための形態においてより明白となるであろう。
【図面の簡単な説明】
【００１４】
【図１】図１は、流体体積アラームシステムの一側面の正面立面図である。
【図２】図２は、図１の流体体積アラームシステムの右側立面図である。
【図３】図３は、図１の流体体積アラームシステムの平面図である。
【図４】図４は、傾斜機構を伴わずに例証される、流体体積アラームシステムの別の側面の正面立面図である。
【図５】図５は、低流体レベルを感知するために構成されるシステムを示す、流体体積アラームシステムの別の側面の正面立面図である。
【図６】図６は、有線および無線両方のアラームモジュールを示す、流体体積アラームシステムの一側面の正面立面図である。
【図７】図７は、アラームモジュールの一側面の部分的に透明である正面立面図である。
【図８】図８は、単一チャネル二次アラームユニットの一側面の正面立面図である。
【図９】図９は、多チャネル二次アラームユニットの一側面の正面立面図である。
【図１０】図１０は、振動アラームを伴う、アラームモジュールのための電気回路の一側面の概略図である。
【図１１】図１１は、アラームモジュールと併用するための無線送信機のための電気回路の一側面の概略図である。
【図１２】図１２は、アラームモジュールと併用するための無線受信機のための電気回路の一側面の概略図である。
【図１３】図１３は、有線アラームモジュールのための電気回路の一側面の概略図である。
【発明を実施するための形態】
【００１５】
本発明は、以下の発明を実施するための形態、実施例、図面、および請求項、ならびにその前述および後述の説明を参照することによって、より容易に理解することができる。しかしながら、本デバイス、システム、および／または方法が、開示および説明される前に、それらは、当然ながら、変動し得るため、別様に規定されない限り、本発明は、開示される具体的デバイス、システム、および／または方法に限定されないことを理解されたい。また、本明細書に使用される用語は、特定の側面を説明する目的のために過ぎず、限定と意図されないことを理解されたい。
【００１６】
本発明の以下の説明は、その最良である現在既知の実施形態における本発明の実現教示として提供される。この目的を達成するために、当業者は、本明細書に説明される本発明の種々の側面に対して、多くの変更を行う一方、依然として、本発明の有益な結果を得ることができることを認識および理解するであろう。また、本発明の所望の利点のいくつかは、他の特徴を利用することなく、本発明の特徴のいくつかを選択することによって得ることができることは明白であろう。故に、当業者は、本発明への多くの修正および適応が可能であって、さらに、ある状況においては望ましい可能性があり、本発明の一部であることを認識するであろう。したがって、以下の説明は、その限定ではなく、本発明の原理の例証として提供される。
【００１７】
全体を通して使用されるように、単数形「ａ」、「ａｎ」、および「ｔｈｅ」は、文脈によって、そうではないことが明確に示されない限り、複数参照を含む。したがって、例えば、「容器」の言及は、文脈によって、そうではないことが示されない限り、２つ以上のそのような容器を含むことができる。
【００１８】
範囲は、本明細書では、「約」ある特定の値からおよび／または「約」別の特定の値までとして表すことができる。そのような範囲が表される時、別の側面は、一方の特定の値からおよび／または他方の特定の値までを含む。同様に、先行詞「約」の使用によって、値が近似値として表される時、特定の値は、別の側面を形成することを理解されるであろう。さらに、範囲のそれぞれの終点は、他方の終点に関連して、および他方の終点から独立しての両方において、有意であることが理解されるであろう。
【００１９】
本明細書で使用されるように、用語「随意の」または「随意に」とは、続いて説明される事象または状況が、生じ得るあるいは生じ得ず、説明が、事象または状況が生じる事例およびそうではない事例を含むことを意味する。
【００２０】
本明細書に提示されるのは、流体レベルアラームシステム１０である。一側面では、アラームシステム１０は、流体を貯蔵するための容器１００と、ユーザ、観察者、または医療従事者に、容器内の流体が所定のレベルに到達したことを通知するために、容器１００に連結されたアラームモジュール２００と、を備える。
【００２１】
当業者が理解し得るように、流体レベルアラームシステムを医療施設内で利用することができる、いくつかの用途が存在する。例えば、限定を意味するわけではないが、流体レベルアラームシステムを点滴バッグと併用し、従事者に、バッグがあるレベルを下回ると、警告してもよい。同様に、流体レベルアラームシステムを尿回収バッグと併用し、従事者に、バッグがあるレベルを上回ると、警告してもよい。
【００２２】
一側面では、容器は、少なくとも１つの外壁１１０を有し、流体の少なくとも一時的貯蔵のための内部体積１２０、第１の開口部１３０、および流体の流出のための第２の開口部１４０を画定する。第１の開口部１３０は、尿回収バッグまたは類似システムの場合、流体の侵入のためのものであることができる。第１の開口部はまた、点滴バッグまたは類似システムの場合、内部体積１２０を大気に通気させるためのものであることができる。一側面では、第１の開口部は、実質的に、容器の上側部分に位置付けられ、第２の開口部１４０は、実質的に、容器の下側部分に位置付けられる。さらに別の側面では、容器１００は、使い捨て可撓性バッグを備える。
【００２３】
別の側面では、第１の開口部は、第１の開口部を介して、流体流入を許可し、流体流出を防止するように構成される。例えば、第１の開口部１３０は、少なくとも部分的に、第１の開口部内に配置される、一方向弁１３５を備えてもよい。
【００２４】
さらに別の側面では、第２の開口部は、容器からの流体の流出を選択的に許可するように構成される。例えば、第２の開口部は、少なくとも部分的に、第２の開口部内に配置される、弁１４５を備えてもよい。
【００２５】
システムはまた、容器の外壁１１０の内部１１５に配置された少なくとも２つの電極１５０、１５５を備えることができる。電極は、任意の電気的に伝導性材料を備えることができ、一側面では、電極は、ステンレス鋼を備える。別の側面では、電極は、耐食材料を備える。電極のうちの少なくとも１つは、アラームを受信することが望ましい、所定の流体レベル１６０に対応する、外壁の内部１１５上の位置に位置付けられる。本構成では、容器内に含有される流体は、少なくとも２つの電極１５０、１５５間に回路を完成する。一側面では、電極は、所定のレベルにおける流体と同一平面にあるが、当業者が理解し得るように、電極のうちの１つが、容器の壁上のより高い場所にある場合、最上電極は、所定の流体レベル１６０に対応するレベルに位置付けられるであろう。
【００２６】
システムはまた、電源２７５に連結されたアラームモジュール２００を備える。アラームモジュールは、少なくとも２つの端子２１０、２１５を備え、各端子は、少なくとも２つの電極のうちの１つと電気連通する。アラームモジュールは、可視、可聴、振動、またはそれらの組み合わせであることができる、アラーム２２０を格納する。一側面では、可視アラーム２２０は、発光ダイオードを備える。使用時、一側面では、容器１００内の流体が、所定の流体レベルに到達すると、容器の内部体積内に配置された流体は、少なくとも２つの電極とアラームモジュールとの間に電気回路を完成する。これは、アラーム２２０を励起し、従事者に、流体が、所定のレベルを満たした、またそれを超えたことをアラートする。
【００２７】
アラームモジュール２００は、アラームモジュールの機能を果たすように構成される、電子回路基板２６０を備えることができる。回路基板は、付随の図に例証されるように、複数の個別回路を備えることができる。当業者は、アラームモジュールが、複数の方法で構成することができることを理解し得る。出願人は、電子回路基板を構成するための少なくとも１つの方法を例証する。別の側面では、アラームモジュール２００は、回路基板およびバッテリ２７５に連結されたバッテリ試験スイッチ２７０、ならびに試験スイッチとバッテリとの間の試験スイッチに連結されたバッテリレベルインジケータ灯２８０を有することができる。一側面では、アラームモジュールは、回路基板に連結されたユニット機能試験スイッチ２９０を備えることができる。
【００２８】
当業者が理解し得るように、アラームモジュールに連結された電源は、ＡＣ電力を備える、または、例えば、限定を意味するものではないが、バッテリまたはバッテリ群等の源からのＤＣ電力を備えてもよい。
【００２９】
アラームモジュールは、容器から離間することができる、またはそこに取り付けられてもよい。一側面では、アラームモジュールは、フック、スナップ、ＶＥＬＣＲＯ、または他の従来の取付手段を介して、容器に取り外し可能に取り付けられる。両場合において、電極は、アラームモジュール２００に有線接続することができる、またはオスおよびメス型プラグ等、一般的接続手段を使用して、アラームモジュールに接続することができる。当業者が理解し得るように、電極が、取り外し可能に、アラームモジュールに接続される場合、アラームモジュールは、任意の数の容器と再併用することができる。
【００３０】
本明細書に説明される流体レベルアラームシステムは、流体容器１００に連結される、１つのアラームユニットを有するように構成することができる、または２つのアラームユニットを有することができ、１つは、流体容器に連結され、１つは、流体容器から遠隔にある。一側面では、アラームモジュール２００は、一次アラームユニット２３０および二次アラームユニット２４０を備える。そのようなシステムでは、一次アラームユニット２３０は、アラームを表す少なくとも１つの信号の伝送のための送信機２３５を備え、二次アラームユニット２４０は、アラームを表す少なくとも１つの信号の受信のための受信機２４５を備える。したがって、一次アラームユニットは、流体容器に恒久的に取り付けることができる、またはそこから選択的に着脱可能であることができる。信号は、一側面では、有線接続を介して、伝送することができる、または信号は、別の側面では、無線接続を介して、伝送することができる。
【００３１】
一次および二次アラームユニットの場合、システムは、両方のアラームユニットが、アラーム（可視、可聴等）を備えるように、またはアラームユニットのうちの１つのみ、アラームを備えるように、設定することができる。さらに別の側面では、二次アラームユニットは、従来のポケットベル、携帯電話、または他の既知の受信デバイスを備えてもよい。
【００３２】
一側面では、二次アラームユニットは、いくつかの一次アラームユニットを監視するように構成されてもよい。そのようなシステムでは、容器は、複数の容器を備え、それぞれ、一次アラームユニットに接続され、各一次アラームユニット２３０は、二次アラームユニット２４０と通信する。この場合、二次アラームユニットは、複数の通信チャネル２５０を備えることができ、それぞれ、離散一次アラームユニットと通信するように構成される。
【００３３】
前述で示唆されたように、システムは、通常、空である、１つ以上の容器を監視するように設定され、流体が、所定のレベルに到達すると、アラームを作動するように構成することができる。そのような構成では、アラームは、回路が、容器１００内の電極間に完成すると、作動されるであろう。代替例では、システムはまた、通常、満杯である、１つ以上の容器を監視するように設定され、流体が、所定のレベルを下回ると、アラームを作動するように構成することができる。例えば、本構成は、点滴バッグのために使用されるであろう。本構成では、アラームは、回路が、容器１００内の電極間で開放されると、作動されるであろう。
【００３４】
一代替側面では、システムは、容器が、実質的に、直立位置にない時、感知するための傾斜スイッチ３００を備えることができる。したがって、傾斜スイッチ３００は、容器がその片側に傾くことによって生じる誤報を回避するのを支援することができる。加えて、システムは、回路が、一時的に、早期に閉鎖される事例において、アラーム信号を遅延させるように構成される、遅延スイッチ（図示せず）を備えてもよい。当業者が理解し得るように、任意の従来の適用可能遅延スイッチを利用することができる。別の側面では、傾斜スイッチは、直接、容器１００に取り付けられる。しかしながら、一次アラームユニット（または、１つのみのアラームユニットが存在する実施形態におけるアラームモジュール）が、容器の一部に取り外し可能に取り付けられる、一側面では、傾斜スイッチは、一次アラームユニット上または内に位置することができる。
【００３５】
一側面では、システムは、第１および第２の傾斜端子３１０、３１５を有する、傾斜スイッチを備え、傾斜スイッチは、容器が、実質的に、直立位置にない時、感知するように構成される。傾斜スイッチ３００は、容器が、直立位置にない時、流体、２つの電極、およびアラームモジュール間の回路を開放するように構成することができる。別の側面では、少なくとも２つの電極は、第１の電極１５０および第２の電極１５５を備え、第１の電極は、第１のアラーム端子２１０に電気的に連結され、第２の電極は、第１の傾斜端子３１０に電気的に連結され、第２の傾斜端子３１５は、第２のアラーム端子２１５に電気的に連結される。
【００３６】
当業者が理解し得るように、任意の既知の傾斜スイッチを利用することができる。一例示的側面では、本システムの傾斜スイッチは、内部チャンバ３３０、および内部チャンバ３３０内に位置付けられた電気的に伝導性の略球状傾斜機構３４０を画定する、略円筒形本体３２０を備える。図１に例証されるように、略円筒形本体３２０は、容器１００が、実質的に、直立位置にある時、電気的に伝導性の略球状傾斜機構３４０が、重力によって、第１および第２の傾斜端子と接触して保持されるように、外壁１１０の外部上に位置付けることができる。対照的に、容器が、実質的に、直立位置にない時、略球状傾斜機構は、内部チャンバ内を移動し、第１および第２の傾斜端子のうちの少なくとも１つとの接触から外れ、それによって、傾斜スイッチを開放する。傾斜機構は、球状以外であることができることが想定されるが、しかしながら、球状傾斜機構は、内部チャンバ内を良好に転動する。
【００３７】
前述のように、システムは、所定の時間の長さの間、実質的に、回路の完成を防止する、電極のうちの少なくとも１つとアラームモジュール２００との間に電気的に位置付けられた遅延スイッチを備えることができる。本例示的側面はまた、誤報の防止を補助することができる。
【００３８】
本発明のいくつかの実施形態が、前述の明細書に開示されたが、前述の説明および関連付けられた図面に提示される教示の利点を有する、本発明に関する、多くの修正および本発明の他の実施形態が、想起されるであろうことが、当業者によって理解される。したがって、本発明は、前述で本明細書に開示された具体的実施形態に限定されず、多くの修正および他の実施形態が、添付の請求項の範囲内に含まれることが意図されることを理解されたい。さらに、具体的用語が、本明細書ならびに以下の請求項において採用されるが、一般的かつ説明的意味においてのみ使用されるものであって、説明される発明または以下の請求項を限定する目的はない。
【図１】
2013528468.tif 000003
【図２】
2013528468.tif 000004
【図３】
2013528468.tif 000005
【図４】
2013528468.tif 000006
【図５】
2013528468.tif 000007
【図６】
2013528468.tif 000008
【図７】
2013528468.tif 000009
【図８】
2013528468.tif 000010
【図９】
2013528468.tif 000011
【図１０】
2013528468.tif 000012
【図１１】
2013528468.tif 000013
【図１２】
2013528468.tif 000014
【国際調査報告】
2013528468.tif 000015